(57)【特許請求の範囲】
【請求項１】
建物の構造材に上下方向に隣接させて複数配置されるカーテンウォールであって、
屋内側に配置される光透過性を有する屋内面材と、
前記屋内面材との間に空間を形成し当該屋内面材と対向された光透過性を有する屋外面材と、
屋外と前記空間とを連通し、前記屋外面材の下から前記空間内に外気を流入させるための流入路と、
屋外と前記空間を連通し、前記屋外面材の上から前記空間内の空気を流出させるための流出路と、
前記空間内に設けられたブラインドと、
を有し、
前記流出路は、前記空間内にて、見込み方向において前記ブラインドより屋外側に偏らせて設けられた、前記空間側の開口と、前記開口から流入する、前記空間内の空気を上方及び屋外方向に案内するための壁部と、
を有することを特徴とするカーテンウォール。
【請求項２】
請求項１に記載のカーテンウォールであって、
前記流入路には、進入した外気を内方及び上方に案内するための壁部を有することを特徴とするカーテンウォール。
【請求項３】
請求項１または請求項２に記載のカーテンウォールであって、
前記流入路を形成する流入路形成部材と、前記流出路を形成する流出路形成部材と、
を有し、
前記流入路形成部材と前記流出路形成部材とは、同一形状の部材が互いの向きを異ならせて配置されていることを特徴とするカーテンウォール。
【請求項４】
請求項１乃至請求項３のいずれかに記載のカーテンウォールであって、
前記流入路及び前記流出路の屋外側には、外方に向かって下方に傾斜する傾斜部材が設けられていることを特徴とするカーテンウォール。
【発明の詳細な説明】
【技術分野】
【０００１】
本発明は、建物の構造材に上下方向に隣接させて複数配置されるカーテンウォールに関する。
【背景技術】
【０００２】
建物の構造材に上下方向に隣接させて複数配置されるカーテンウォールとして、環境への配慮からダブルスキンカーテンウォールが注目されている。このダブルスキンカーテンウォールは、例えば２枚のガラス間に空間を備え、当該空間にブラインドが設けられている。そして、ブラインドを閉めた際に、太陽光にて加熱されたブラインドにより暖められた空間内の空気を、下枠付近に設けられた下部通気口と上枠付近に設けられた上側通気口とを利用して、外気を吸い込み空間内の空気を排出することにより温度の上昇を抑えている（例えば、特許文献１参照）。
【特許文献１】特開２００３−３１４１５４号公報（図７）
【発明の開示】
【発明が解決しようとする課題】
【０００３】
しかしながら、上記のようなカーテンウォールは、空間内におけるブラインドの配置について特段考慮されていない。このため、ブラインドが排気経路を塞ぐように配置されており、排気が不安定となり温度の上昇を効率よく抑えることができなかった。
【０００４】
本発明は、かかる課題に鑑みてなされたものであり、その目的とするところは、面材間の空間の温度の上昇を効率よく抑えることが可能なカーテンウォールを提供することにある。
【課題を解決するための手段】
【０００５】
かかる目的を達成するために本発明のカーテンウォールは、建物の構造材に上下方向に隣接させて複数配置されるカーテンウォールであって、屋内側に配置される光透過性を有する屋内面材と、前記屋内面材との間に空間を形成し当該屋内面材と対向された光透過性を有する屋外面材と、屋外と前記空間とを連通し、前記屋外面材の下から前記空間内に外気を流入させるための流入路と、屋外と前記空間を連通し、前記屋外面材の上から前記空間内の空気を流出させるための流出路と、前記空間内に設けられたブラインドと、を有し、前記流出路は、前記空間内にて、見込み方向において前記ブラインドより屋外側に偏らせて設けられた、前記空間側の開口と、前記開口から流入する、前記空間内の空気を上方及び屋外方向に案内するための壁部と、を有することを特徴とするカーテンウォールである。
【０００６】
このようなカーテンウォールによれば、ブラインドが流出路の空間側開口と見込み方向における位置を相違させて空間内に設けられているので、ブラインドは空間内の空気の流出を妨げない。このため、面材間の空間の温度の上昇を効率よく抑えることが可能である。特に、ブラインドに照射された太陽光により加熱された空間内の空気が屋外面材の上方の流出路から流出される際に、屋外面材の下方の流入路から外気を流入させることにより空気をスムーズに循環させて温度の上昇を効率よく抑えることが可能である。
また、空間内にて暖められた空気は上昇して壁部により上方及び屋外方向に案内されて屋外にスムーズに流出されるので、温度が上昇した空気を流出路からより効率よく流出させることが可能である。
【０００７】
かかるカーテンウォールであって、前記流入路には、進入した外気を内方及び上方に案内するための壁部を有することが望ましい。  
このようなカーテンウォールによれば、流入路に進入した外気は、壁部により内方及び上方に案内されるので、上方の流出路側にスムーズに流れ温度が上昇した空気を流出路から効率よく流出させることが可能である。
【０００９】
かかるカーテンウォールであって、前記流入路を形成する流入路形成部材と、前記流出路を形成する流出路形成部材と、を有し、前記流入路形成部材と前記流出路形成部材とは、同一形状の部材が互いの向きを異ならせて配置されていることが望ましい。  
このようなカーテンウォールによれば、流入路を形成する流入路形成部材と流出路を形成する流出路形成部材とが同一形状の部材なので、コストを低減することが可能であり、部材の管理も容易である。
【００１０】
かかるカーテンウォールであって、前記流入路及び前記流出路の屋外側には、外方に向かって下方に傾斜する傾斜部材が設けられていることが望ましい。  
このようなカーテンウォールによれば、上昇しつつ流出路から流出する暖められた空気を傾斜部材により外側に向かって下方に流出させることが可能である。このため、流出路の上方に近接させて流入路が設けられている場合であっても、暖められた空気が直上の流入路に流入することを抑えることが可能である。また、流入路及び流出路から空間に内に雨水等が進入することも防止することが可能である。
【発明の効果】
【００１１】
本発明によれば、面材間の空間の温度の上昇を効率よく抑えることが可能なカーテンウォールを提供することが可能である。
【発明を実施するための最良の形態】
【００１２】
以下、本発明の実施形態に係るカーテンウォールについて図面を参照して説明する。
【００１３】
第１実施形態として、工場等にて枠体、面材等がユニット化されて建築物の構造材に上下方向及び左右方向に隣接させて複数取り付けられるカーテンウォール１０について説明する。
【００１４】
第１実施形態のカーテンウォール１０は、図１、図２に示すように、例えばビル等の上下の階床間を覆う外壁材として用いられ、上階の床を支持する構造材としてのスラブ４等に固定されて吊り下げられ、図３に示すように、下端部は、当該カーテンウォール１０の下に設けられるカーテンウォール１０の上端部に係合されている。このため、カーテンウォール１０の上部と下部とには、互いに係合するジョイント部材が設けられている。尚、図１、図２はブラインド１４を下ろし、スラットがほぼ水平をなす状態を示している。
【００１５】
第１実施形態のカーテンウォール１０は、外壁として上下左右に隣接させて取り付けられると、建物の外観はほぼ全域がガラスで覆われているように見える。また、床材２の下側に設けられるスラブ４及び梁６が収容される床下の空間の屋外側を覆う耐火ボード２８が、カーテンウォール１０の屋内側の上部に設けられており、この耐火ボード２８が屋外側から見えないように、耐火ボード２８の屋外側に化粧材でなる目隠し板２９が設けられている。なお、カーテンウォール１０の屋内側に設けられている耐火ボード２８は、天井材８より上方に設けられているため居室からは天井材８に遮られ見えることはない。
【００１６】
カーテンウォール１０は、建物の屋内側に配置される光透過性を有する屋内面材としての屋内側ガラス２０と、屋内側ガラス２０と対向された光透過性を有する屋外面材としての屋外側ガラス２２との間に空間２１を形成し、屋外と空間２１とを連通し、屋外側ガラス２２の下から空間２１内に外気を流入させるための流入路３０ａを有する下枠３０と、屋外と空間２１とを連通し、屋外側ガラス２２の上から空間２１内の空気を流出させるための流出路３６ａを有する上枠３６と、下枠３０と上枠３６とともに枠体１２を形成する２本の縦枠２４と、屋内側にて左右の縦枠２４間に架け渡された中間枠３９と、空間２１内に昇降自在に設けられたブラインド１４と、上枠３６及び下枠３０の屋外側に設けられた傾斜部材としてのルーバー２５と、上述したジョイント部材としての上ジョイント２６及び下ジョイント２７と、耐火ボード２８及び目隠し板２９と、を有している。
【００１７】
屋内側ガラス２０は、２枚のガラス２０ａが間隔を隔てて対面された複層ガラスである。屋内側ガラス２０は、２枚のガラス２０ａがシール材を介してアルミニウム製のガラス枠２０ｂに嵌め込まれてユニット化されて２本の縦枠２４、下枠３０、中間枠３９に当接されて下枠３０と中間枠３９とに固定されている。
【００１８】
屋外側ガラス２２は、１枚のガラスが２本の縦枠２４、下枠３０、上枠３６の屋外側にシール材を介して当接され、さらにシール材を介して取り付けられる押縁により保持されている。
【００１９】
下枠３０は、アルミニウム製の押出成形された中空部材である下枠本体３１と、下枠本体３１の屋外側に取り付けられ下枠本体３１との間にシール材を介して屋外側ガラス２２を保持する押縁３２とを有している。また、下枠本体３１の屋内側には、屋内側ガラス２０を下枠３０に固定するためのガラス固定部材３３が設けられている。
【００２０】
下枠３０の見込み方向における半分より屋外側には、屋外と空間２１とを連通する外気の流入路３０ａが設けられている。すなわち、下枠３０が、流入路３０ａを形成する流入路形成部材に相当する。流入路３０ａは、屋外側ガラス２２の下に設けられ屋外側に開放された開口３０ｄから進入した外気を内方及び上方に案内するための壁部としての下ガイド壁３０ｂを有している。また、下枠３０の下面側には、下ジョイント２７が取り付けられるジョイント固定部３０ｃが設けられている。
【００２１】
上枠３６も、アルミニウム製の押出成形された中空部材である上枠本体３７と、上枠本体３７の屋外側に取り付けられ上枠本体３７との間にシール材を介して屋外側ガラス２２を保持する押縁３２を有している。また、上枠３６の下面側の屋内側には、耐火ボード２８の固定部が設けられている。
【００２２】
上枠３６の見込み方向における半分より屋外側には、屋外と空間２１とを連通する外気の流出路３６ａが設けられている。すなわち、上枠３６が、流出路３６ａを形成する流出路形成部材に相当する。流出路３６ａは、屋外側ガラス２２の上に設けられ屋外側に開放された開口３６ｄから排出されるべき空気を上方及び屋外方向に案内するための壁部としての上ガイド壁３６ｂを有している。また、上枠３６の上面側には、上ジョイント２６が取り付けられるジョイント固定部３６ｃが設けられている。
【００２３】
本実施形態の下枠３０と上枠３６とは、上下が反転した対象形状をなしているため、同一のアルミニウム製の押出成形部材が用いられ、互いの向きの上下を異ならせて配置されている。
【００２４】
カーテンウォール１０の上枠３６に設けられた流出路３６ａと下枠３０に設けられた流入路３０ａの屋外側に開放された開口３６ｄ、３０ｄには、屋外側に向かって下方に傾斜するルーバー２５が下枠３０及び上枠３６にそれぞれねじで固定されている。カーテンウォール１０の上枠３６に設けられた流出路３６ａと、上側に隣接させて設けられたカーテンウォール１０の下枠３０に設けられた流入路３０ａとは、カーテンウォール１０が取り付けられた状態にて上下に隣接するため、上下に隣接するルーバー２５は、それらの間隔がほぼ均一になるように配置されている。
【００２５】
縦枠２４は、図４に示すようにカーテンウォール１０の左右にそれぞれ設けられ、各縦枠２４は左右が反転した対象形状をなすアルミニウム製の押出成形部材である。縦枠２４の屋外側にはシール材を介して屋外側ガラス２２が押縁３５との間にて保持され、屋内側には屋内側ガラス２０、すなわちユニット化された複層ガラスがシール材を介して当接されている。
【００２６】
２本の縦枠２４と下枠３０、上枠３６とが接合された枠体１２の外周部には、全周に亘って、防風シール材４４と防水シール材４５とが、見込み方向に間隔を隔てて設けられている。これら防風シール材４４及び防水シール材４５は、複数のカーテンウォール１０が隣接して配置された際に互いに当接しあって、カーテンウォール１０間の空隙を閉塞している。
【００２７】
上枠３６の防風シール材４４と防水シール材４５との間にジョイント固定部３６ｃが配置されており、見付け方向における一部に上ジョイント２６が設けられている。また、下枠３０の防風シール材４４と防水シール材４５との間にジョイント固定部３０ｃが配置されており、見付け方向における一部に下ジョイント２７が設けられている。
【００２８】
下ジョイント２７は、見込み方向に間隔を隔てた２枚の板状突部２７ａを有し、上ジョイント２６は、２枚の板状突部２７ａの間隔より僅かに小さな直径を有する曲面でなる突起２６ａを有している。そして、複数のカーテンウォール１０が上下に隣接して配置された際には、カーテンウォール１０が構造材に固定されている側の上枠３６が有する突起２６ａが、上に配置されているカーテンウォール１０の下枠３０に設けられた板状突部２７ａ間に入り込んでカーテンウォール１０の下端が揺動しないように係合される。
【００２９】
中間枠３９は、カーテンウォール１０が、構造材に取り付けられた際に、天井の高さとなる位置に２本の縦枠２４間に架け渡されている。中間枠３９の屋外側であって天井材８との間には屋内側ガラス２０の固定部３９ａが設けられており、上部側には耐火ボード２８の固定部３９ｂが設けられている。また、中間枠３９は空間２１の見込み方向における中央付近に目隠し板２９に当接される平板部３９ｃを有しており、平板部３９ｃ及び目隠し板２９と固定部３９ａ及び固定部３９ｂが設けられている部位との間に空隙４０が設けられている。
【００３０】
空隙４０には、２本の縦枠２４間に架け渡された中空角部材４１が設けられており、中空角部材４１にはブラインド１４が吊り下げられている。ブラインド１４は、上方に引き上げられた状態で、中間枠３９と目隠し板２９との間の空隙４０内に収容されて外部に露出しないように配置されている。また、空隙４０を形成している平板部３９ｃの屋外側の面は、上枠３６の流出路３６ａを形成する上ガイド壁３６ｂの内面と輪郭がほぼ繋がるように形成されている。このため、流出路３６ａの空間２１側の開口３６ｅの真下の領域に突出している部材は無く、下枠３０の流入路３０ａの開口まで空間２１が続いている。
【００３１】
本実施形態のカーテンウォール１０によれば、ブラインド１４が流出路３６ａの空間２１側の開口３６ｅと見込み方向における位置を相違させて空間２１内に設けられているので、ブラインド１４は空間２１内の空気の流出を妨げない。このため、屋内側ガラス２０と屋外側ガラス２２との間の空間２１の温度の上昇を効率よく抑えることが可能である。特に、ブラインド１４に照射された太陽光にて加熱された空間２１内の空気が上昇して屋外側ガラス２２の上方の流出路３６ａから流出される際に、屋外側ガラス２２の下方の流入路３０ａから外気が流入されるので空気をスムーズに循環させて温度の上昇を効率よく抑えることが可能である。
【００３２】
また、流入路３０ａには進入した外気を空間２１の内方及び上方に案内するための下ガイド壁３０ｂが設けられているので、流入路３０ａに進入した外気は、下ガイド壁３０ｂにより空間２１の内方及び上方に案内され、上方の流出路３６ａ側にスムーズに流れ温度が上昇した空気を流出路３６ａから効率よく流出させることが可能である。
【００３３】
さらに、流出路３６ａには、空間２１内の空気を上方及び屋外方向に案内するための上ガイド壁３６ｂが設けられているので、空間２１内にて暖められた空気は上昇して上ガイド壁３６ｂにより上方及び屋外方向に案内されて屋外にスムーズに流出される。このため、温度が上昇した空気を流出路３６ａからより効率よく流出させることが可能である。
【００３４】
すなわち、流入路３０ａの下ガイド壁３０ｂ及び流出路３６ａの上ガイド壁３６ｂともに空気をスムーズに循環させるべく作用するので、空間２１内の空気の温度上昇を効率よく抑えることが可能である。
【００３５】
本実施形態のカーテンウォール１０は、流入路３０ａを形成する下枠３０と流出路３６ａを形成する上枠３６とをアルミニウム製の押出成形された同一部材としたので、型代等を削減してコストを低減することが可能であり、また使用される部材の種類も少なくなるので管理も容易である。
【００３６】
また、流入路３０ａ及び流出路３６ａの屋外側には、外方に向かって下方に傾斜するルーバー２５が設けられているので、上昇しつつ流出路３６ａから流出する暖められた空気をルーバー２５により外側に向かって下方に流出させることが可能である。このため、本実施形態のように流出路３６ａの上方に隣接して流入路３０ａが設けられていても、暖められて流出路３６ａから流出した空気が直後に流入路３０ａに流入することを防止することが可能である。また、ルーバー２５は屋外側に向かって下方に傾斜しているので、流入路３０ａ及び流出路３６ａから空間２１内に雨水等が直接進入することを防止することが可能である。
【００３７】
上記実施形態においては、屋内側ガラス２０を複層のガラスとしたが、これに限るものではない。
【００３８】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００３９】
【図１】第１実施形態に係るカーテンウォールが建物に取り付けられている状態を屋外側から見た外観図である。
【図２】図１におけるＡ−Ａ面である。
【図３】第１実施形態に係るカーテンウォールの構成を説明するための縦断面図である。
【図４】図１におけるＢ−Ｂ面である。
【符号の説明】
【００４０】
４  スラブ、１０  カーテンウォール、１４  ブラインド、２０  屋内側ガラス、
２１  空間、２２  屋外側ガラス、２５  ルーバー、３０  下枠、３０ａ  流入路、
３０ｂ  下ガイド壁、３６  上枠、３６ａ  流出路、３６ｂ  上ガイド壁、
３６ｅ  開口
【図１】
0004970213.tif 000002
【図２】
0004970213.tif 000003
【図３】
0004970213.tif 000004
【図４】
0004970213.tif 000005